(57)【要約】  流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、前記溶出により前記処理材の残量がゼロとなった際、または、前記処理材の残量がゼロとなる前の所定値まで減少した際に、前記流路を閉塞する弁手段を備える、水処理器、および、該水処理器を備えた浄水器。
2013115304.tif 000002
【特許請求の範囲】
【請求項１】
流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、
前記溶出により前記処理材の残量がゼロとなった際に、前記流路を閉塞する弁手段を備える、水処理器。
【請求項２】
流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、
前記溶出により前記処理材の残量がゼロとなる前の所定値まで減少すると、前記流路を閉塞する弁手段を備える、水処理器。
【請求項３】
前記処理材の残量が前記所定値まで減少し、前記弁手段が前記流路を閉塞した際に、該処理材の残部が収納されるスペースが形成される、請求項２に記載の水処理器。
【請求項４】
前記弁手段は、前記流路を塞ぐ弁体を備え、
前記流路における前記処理材の周囲には、筒体からなり、前記処理材の残量が前記所定値まで減少した際に前記弁体の移動を止める突起状のストッパが立設され、
該ストッパの内側に前記スペースが形成される、請求項３に記載の水処理器。
【請求項５】
前記ストッパの高さが３〜５ｍｍである、請求項４に記載の水処理器。
【請求項６】
前記弁手段は、前記流路を塞ぐ弁体を備え、
該弁体における前記処理材との接触面に窪み部が形成され、該窪み部により、前記スペースが形成される、請求項３〜５のいずれか一項に記載の水処理器。
【請求項７】
前記窪み部の深さが３〜５ｍｍである、請求項６に記載の水処理器。
【請求項８】
前記弁手段は、弁体が前記流路を塞ぐように前記弁体を付勢し、移動させる弾性体を少なくとも１つ有する、請求項１〜７のいずれか一項に記載の水処理器。
【請求項９】
前記弁手段は、前記弾性体を複数有する、請求項８に記載の水処理器。
【請求項１０】
請求項１〜９のいずれか一項に記載の水処理器と、前記消毒殺菌水を濾過する濾材とを備える、浄水器。
【発明の詳細な説明】
【技術分野】
【０００１】
本発明は、被処理水を消毒殺菌する水処理器と、該水処理器を備えた浄水器に関する。本願は、２０１２年０１月３１日に、日本に出願された特願２０１２−０１８４５８号に基づき優先権を主張し、その内容をここに援用する。
【背景技術】
【０００２】
水道水などを処理する浄水器として、膜や吸着材などの濾材を備えたものが広く使用されている。濾材は一般に、一定量の水を処理して処理能力が低下した際には、新しいものに交換される必要がある。そのため、このような浄水器には、処理水量を実測し、処理水量が所定値に到達すると、使用者に濾材の交換時期を知らせるようにしたものがある。
例えば、特許文献１には、処理水量を正確に測定するための技術が記載されている。また、特許文献２および３には、処理水量が所定値に到達し、濾材の交換時期が来ると、それ以降、被処理水を浄水器に導入できないようにした浄水器が記載されている。特許文献２および３に記載の浄水器によれば、処理能力の低下した濾材を使用し続けて、処理が不充分な水を飲用するなどの不都合を未然に回避できる。
【先行技術文献】
【特許文献】
【０００３】
【特許文献１】特開２００３−２０２２４８号公報
【特許文献２】特表平１０−５０９３７８号公報
【特許文献３】特表２００５−５０３９１６号公報
【発明の概要】
【発明が解決しようとする課題】
【０００４】
本発明は、処理能力の低下した濾材を使用し続けて、濾材による処理が不充分な水を飲用するなどの不都合を未然に回避できるだけでなく、水の消毒殺菌処理も確実に行うことができる浄水器の提供を目的とする。
また、本発明は、水を消毒殺菌剤により処理でき、しかも消毒殺菌剤の残量が所定値またはゼロまで減少すると、それ以降、水を取り出せず、消毒殺菌処理されていない水を飲用するなどの不都合を未然に回避できる水処理器の提供を目的とする。
【課題を解決するための手段】
【０００５】
本発明の水処理器は、流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、前記溶出により前記処理材の残量がゼロとなった際に、前記流路を閉塞する弁手段を備えることを特徴とする。【０００６】
このような構成によれば、水を消毒殺菌剤により処理でき、しかも消毒殺菌剤の残量がゼロまで減少すると、それ以降、水を取り出せず、消毒殺菌処理されていない水を飲用するなどの不都合を未然に回避できる水処理器を提供できる。【０００７】
本発明の他の態様の水処理器は、流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、前記溶出により前記処理材の残量がゼロとなる前の所定値まで減少すると、前記流路を閉塞する弁手段を備えることを特徴とする。【０００８】
このような構成によれば、水を消毒殺菌剤により処理でき、しかも消毒殺菌剤の残量が所定値まで減少すると、それ以降、水を取り出せず、消毒殺菌処理されていない水を飲用するなどの不都合を未然に回避できる水処理器を提供できる。【０００９】
本発明の他の態様の水処理器は、前記処理材の残量が前記所定値まで減少し、前記弁手段が前記流路を閉塞した際に、該処理材の残部が収納されるスペースが形成されていることを特徴とする。【００１０】
このような構成によれば、完全に消毒殺菌剤が溶け切る前の任意の残量となった時点で、流路を閉塞できる。【００１１】
本発明の他の態様の水処理器は、前記弁手段が、前記流路を塞ぐ弁体を備え、前記流路における前記処理材の周囲には、筒体からなり、前記処理材の残量が前記所定値まで減少した際に前記弁体の移動を止める突起状のストッパが立設され、該ストッパの内側に前記スペースが形成されることを特徴とする。【００１２】
このような構成によれば、完全に消毒殺菌剤が溶け切る前の任意の残量となった時点で、流路を閉塞できる。【００１３】
本発明の他の態様の水処理器は、前記ストッパの高さが３〜５ｍｍであることを特徴とする。【００１４】
このような構成によれば、消毒殺菌剤の残量を可能な限り減らして無駄を省き、かつ、流路を完全に閉塞することができる。【００１５】
本発明の他の態様の水処理器は、前記弁手段が、前記流路を塞ぐ弁体を備え、該弁体における前記処理材との接触面に窪み部が形成され、該窪み部により、前記スペースが形成されることを特徴とする。【００１６】
このような構成によれば、完全に消毒殺菌剤が溶け切る前の任意の残量となった時点で、流路を閉塞できる。【００１７】
本発明の他の態様の水処理器は、前記窪み部の深さが３〜５ｍｍであることを特徴とする。【００１８】
このような構成によれば、消毒殺菌剤の残量を可能な限り減らして無駄を省き、かつ、流路を完全に閉塞することができる。【００１９】
本発明の他の態様の水処理器は、前記弁手段が、弁体が前記流路を塞ぐように前記弁体を付勢し、移動させる弾性体を少なくとも１つ有することを特徴とする。【００２０】
このような構成によれば、消毒殺菌剤の残量が減少するにしたがって、弁体を付勢して移動させ、流路を閉塞できる。【００２１】
本発明の他の態様の水処理器は、前記弁手段が、前記弾性体を複数有することを特徴とする。【００２２】
このような構成によれば、弁体をより均一に付勢できる。また、複数の弾性体のうち、ある弾性体に不具合が生じても、残りの弾性体により流路を確実に閉塞できる。【００２３】
本発明の浄水器は、本発明の水処理器と、前記消毒殺菌水を濾過する濾材とを備えることを特徴とする。【００２４】
このような構成によれば、処理能力の低下した濾材を使用し続けて、濾材による処理が不充分な水を飲用するなどの不都合を未然に回避できるだけでなく、水の消毒殺菌処理も確実に行うことができる浄水器を提供できる。
【発明の効果】
【００２５】
本発明によれば、処理能力の低下した濾材を使用し続けて、濾材による処理が不充分な水を飲用するなどの不都合を未然に回避できるだけでなく、水の消毒殺菌処理も確実に行うことができる浄水器を提供できる。
また、本発明によれば、水を消毒殺菌剤により処理でき、しかも消毒殺菌剤の残量が所定値またはゼロまで減少すると、それ以降、水を取り出せず、消毒殺菌処理されていない水を飲用するなどの不都合を未然に回避できる水処理器を提供できる。
【図面の簡単な説明】
【００２６】
【図１】本発明の水処理器の一例を示す縦断面図であり、（ａ）流路が開いており、消毒殺菌処理が行われている状態を示す図、（ｂ）弁手段により流路が閉塞されている状態を示す図である。
【図２】本発明の水処理器の他の一例を示す縦断面図であり、（ａ）流路が開いており、消毒殺菌処理が行われている状態を示す図、（ｂ）弁手段により流路が閉塞されている状態を示す図である。
【図３】本発明の水処理器の他の一例を示す縦断面図であり、（ａ）流路が開いており、消毒殺菌処理が行われている状態を示す図、（ｂ）弁手段により流路が閉塞されている状態を示す図である。
【図４】本発明の水処理器の他の一例を示す縦断面図であり、（ａ）流路が開いており、消毒殺菌処理が行われている状態を示す図、（ｂ）弁手段により流路が閉塞されている状態を示す図である。
【図５】本発明の水処理器の他の一例を示す縦断面図であり、（ａ）流路が開いており、消毒殺菌処理が行われている状態を示す図、（ｂ）弁手段により流路が閉塞されている状態を示す図である。
【発明を実施するための形態】
【００２７】
以下、本発明について詳細に説明する。
［水処理器］
図１（ａ），（ｂ）は、本発明の水処理器の一例を示す図である。
この水処理器１０Ａは、流路１１と、流路１１内に配置され、水溶性固体からなる消毒殺菌剤（処理材）１６とを備え、消毒殺菌剤１６よりも上流側から図示略のポンプ手段などにより被処理水を供給し、流通する被処理水に消毒殺菌剤１６を溶出させ、下流において、バクテリアやウィルスの低減された消毒殺菌水を得るものである。
【００２８】
ここで流路１１は、被処理水を水処理器１０Ａに導入する導入流路１２と、導入された被処理水を消毒殺菌処理する処理流路１３と、得られた消毒殺菌水を水処理器１０Ａ外に取り出すための排出流路１４とから構成されている。
【００２９】
処理流路１３は、この例では、高さ方向の両端が閉塞した縦型の筒状容器（円筒状容器。）からなり、その一端（図中下端。）１３ａの中央に柱状に成型された消毒殺菌剤１６が配置されている。導入流路１２および排出流路１４は管状であって、処理流路１３の高さ方向の一端１３ａ側における周面に、導入流路１２の下流端１２ａと排出流路１４の上流端１４ａとがそれぞれ開口して形成されている。
導入流路１２から処理流路１３に導入された被処理水は、消毒殺菌剤１６の周り（処理流路１３の内周壁と消毒殺菌剤１６との間の隙間。）を通過して消毒殺菌剤１６と接触し、溶出する消毒殺菌剤１６により消毒殺菌水とされ、その後、排出流路１４から水処理器１０Ａ外に取り出される。
【００３０】
なお、処理流路１３を構成する筒状容器の高さ方向の一端１３ａまたは他端１３ｂのことを、単に、処理流路１３の一端１３ａまたは他端１３ｂという場合がある。また、この例では、流路１１における流れ方向と、処理流路１３を構成する筒状容器の高さ方向とは、直交している。
【００３１】
そして、この例の水処理器１０Ａは、被処理水の処理にともなって消毒殺菌剤１６が徐々に溶出し、最終的に消毒殺菌剤１６が消失し、その残量（高さ）がゼロとなった際には、流路１１を閉塞する弁手段２０を有している。
【００３２】
弁手段２０は、流路１１を塞ぐ弁体２１と、弁体２１が流路１１を塞ぐように弁体２１を付勢して移動させるコイルバネ（弾性体）２２とを備えている。この例では、図１（ａ）に示すように、処理流路１３内において、弁体２１は消毒殺菌剤１６よりも処理流路１３の他端１３ｂ側に位置して消毒殺菌剤１６に接し、さらに消毒殺菌剤１６よりも他端１３ｂ側に位置する縮んだ状態のコイルバネ２２により、消毒殺菌剤１６側（処理流路１３の一端１３ａ側。）に付勢されている。そのため、水処理器１０Ａの使用に伴って消毒殺菌剤１６の残量が減少すると、コイルバネ２２が伸びて弁体２１を付勢する。そして、最終的に消毒殺菌剤１６の残量がゼロとなった際には、図１（ｂ）に示すように、弁体２１が処理流路の一端１３ａ側に移動し、処理流路の一端１３ａ側において形成された導入流路１２の下流端１２ａと、排出流路１４の上流端１４ａとをその周面で閉塞する。
【００３３】
なお、本明細書では、弾性体としてコイルバネ２２を例示しているが、弾性体はこれに限定されない。また、弁手段２０は、弾性体を少なくとも１つ有すると、消毒殺菌剤の残量が減少するにしたがって弁体２１を付勢して移動させ、流路１１を閉塞できるので好ましい。さらに、弁手段が弾性体を複数有し、これら弾性体が互いに平行に配置されていると、弁体を均一に付勢できるとともに、複数の弾性体のうち、ある弾性体に不具合が生じても、残りの弾性体により流路を確実に閉塞できるのでより好ましい。弾性体を４つ有すると、弁体をより均一に付勢できるのでさらに好ましい。
【００３４】
このように、図１の水処理器１０Ａでは、被処理水の処理に伴って消毒殺菌剤１６が溶出し、最終的にその残量がゼロになると、流路１１（この例では導入流路１２の下流端１２ａと、排出流路１４の上流端１４ａ。）が閉塞され、消毒殺菌処理されていない水を排出流路１４から取り出すことはできない。そのため、消毒殺菌処理されていない水を飲用するなどの不都合を未然に回避できる。
【００３５】
水溶性固体からなる消毒殺菌剤１６としては、被処理水に溶出して、消毒または殺菌作用を奏するものであればよく、例えば、塩素系化合物（次亜塩素酸ナトリウム、次亜塩素酸カルシウム、塩素化イソシアヌール酸など。）や、ヨウ素系消毒剤（ポピドンヨードなど。）、ＢＣＤＭＨ（１−Ｂｒｏｍｏ−３−ｃｈｌｏｒｏ−５，５−ｄｉｍｅｔｈｙｌｈｙｄａｎｔｏｉｎ）を主成分とする臭素系消毒剤などが挙げられる。
なお、消毒とは、有害な微生物または目的の微生物を感染力価以下にまですること、殺菌とは、微生物を死滅させ、再び生き返らない状態に不活化することを意味する。
【００３６】
このように、消毒殺菌剤１６の残量の減少にともなって、弁手段２０のコイルバネ２２が伸びて弁体２１を付勢し、残量（高さ）がゼロになると流路１１を閉塞する形態の水処理器としては、例えば図２に示す形態の水処理器１０Ｂも例示できる。
【００３７】
図２（ａ）、（ｂ）の水処理器１０Ｂは、消毒殺菌剤１６および弁手段２０を収納した筒状容器（円筒状容器。）１５と、その長さ方向の一端（図中下端。）に装着された概略板状（円板状。）の蓋部材１７とを備えて構成されている。
この水処理器１０Ｂは、筒状容器により処理流路１３が構成されている点で、図１の水処理器１０Ａと同じである。一方、処理流路１３に被処理水を導入する導入流路１２と、得られた消毒殺菌水を取り出す排出流路１４とが、筒状容器の周面ではなく、それぞれ蓋部材１７に穿設されている点、そして、この蓋部材１７上に消毒殺菌剤１６が配置されている点などで、図１の水処理器１０Ａとは異なっている。
【００３８】
導入流路１２は、この例では、蓋部材１７の周面の２箇所に上流端１２ｂを有し、その後合流し、蓋部材１７の内面（筒状容器１５の内側に向く面。）の１箇所に下流端１２ａを有している。排出流路１４は、蓋部材１７の内面に開口した上流端１４ａを有し、外面（筒状容器１５の外側に向く面。）に下流端１４ｂを有するように、蓋部材１７を厚み方向（図中上下方向。）に貫通して４本形成されている。なお、図２では、排出流路１４を２本のみ図示している。
【００３９】
また、この例では、蓋部材１７の内面には突起状の受け部１４ｃが複数形成され、この受け部１４ｃ上に、消毒殺菌剤１６が配置されている。これにより、蓋部材１７上に配置された消毒殺菌剤１６が、導入流路１２の下流端１２ａと排出流路１４の上流端１４ａとを塞がないように構成されている。
また、弁体２１において、消毒殺菌剤１６と接する側の面（図中下面。接触面という場合がある。）２１ａには、導入流路１２の下流端１２ａと嵌合する閉塞突起２１ｂが形成されている。
【００４０】
図２の水処理器１０Ｂにおいては、導入流路１２から処理流路１３内に導入された被処理水は、処理流路１３内で消毒殺菌剤１６の下面や周面に接し、溶出する消毒殺菌剤１６により消毒殺菌水とされ、排出流路１４から取り出される。そして、図１の水処理器１０Ａと同様に、使用に伴って消毒殺菌剤１６の残量（高さ）がゼロになった際には、図２（ｂ）に示すように、コイルバネ２２の作用により弁体２１が移動して、蓋部材１７の内面に接するようになる。そして、弁体２１の接触面２１ａに形成された閉塞突起２１ｂが、蓋部材１７の内面に開口している導入流路１２の下流端１２ａに嵌合し、導入流路１２を閉塞する。
【００４１】
このように図２の水処理器１０Ｂによっても、被処理水の処理に伴って消毒殺菌剤１６が溶出し、最終的にその残量（高さ）がゼロになると流路１１が閉塞され、消毒殺菌処理されていない水を飲用するなどの不都合を未然に回避できる。
【００４２】
以上例示した図１および図２の水処理器１０Ａ，１０Ｂは、いずれも、消毒殺菌剤１６の溶出にともなって弁手段２０の備えるコイルバネ２２が縮んだ状態から伸びた状態となり、それにより弁体２１を移動させて流路１１を塞ぐものであったが、例えば図３〜５に示すように、消毒殺菌剤１６の溶出にともなって弁手段２０のコイルバネ２２が伸びた状態から縮んだ状態となり、それにより弁体２１を移動させて流路１１を塞ぐものであってもよい。この形態の方が、コイルバネ２２が縮んだ状態から伸びた状態となる形態よりも、省スペース性に優れる。
【００４３】
図３（ａ），（ｂ）の水処理器１０Ｃでは、縦型の筒状容器（円筒状容器。）からなる処理流路１３の一端（図中下端。）１３ａの中央に、筒状（円筒状。）の消毒殺菌剤１６が収納配置されている。そして、この筒状の消毒殺菌剤１６の中空部に、その高さ方向に沿って、弁手段２０を構成するコイルバネ２２が伸びた状態で配置されている。コイルバネ２２は、その一端（図中下端。）は処理流路１３の一端（図中下端。）１３ａ側に固定され、他端（図中上端。）は、処理流路１３内の他端（図中上端。）１３ｂ側において、消毒殺菌剤１６に接して設けられた弁体２１に固定されることで、伸びた状態となっている。また、処理流路１３の一端１３ａにおけるコイルバネ２２の固定箇所は、窪んだ凹部１３ｃとされており、コイルバネ２２が縮んで流路１１を閉塞する際には、この凹部１３ｃにコイルバネ２２が収納され、弁体２１による流路１１の閉塞をコイルバネ２２が妨げないように構成されている。
【００４４】
この水処理器１０Ｃにおいては、導入流路１２から処理流路１３に導入された被処理水は、図１の例の場合と同様に、消毒殺菌剤１６の周り（処理流路１３の内周壁と消毒殺菌剤１６との間の隙間。）を通過し、消毒殺菌水とされた後、排出流路１４から取り出される。この例では、流路１１における流れ方向と、処理流路１３を構成する筒状容器の高さ方向とは、直交している。
その後、水処理器１０Ｃの使用に伴って消毒殺菌剤１６の残量が減少すると、コイルバネ２２が徐々に縮んで弁体２１を処理流路１３の一端１３ａ側へ引張り、最終的に消毒殺菌剤１６の残量（高さ）がゼロとなり消失した際には、図３（ｂ）に示すように、弁体２１が処理流路１３の一端１３ａに接して位置するようになる。それにより、弁体２１は、処理流路１３の一端１３ａ側における周面に形成された導入流路１２の下流端１２ａと、排出流路１４の上流端１４ａとを閉塞する。
【００４５】
図４の水処理器１０Ｄでは、消毒殺菌剤１６の形状が柱状（円柱状。）であって、この消毒殺菌剤１６の外周側に、複数本（この例では２本。）のコイルバネ２２が伸びた状態で配置されている点で、図３の形態と異なる。この例でも、図３の形態と同様に、コイルバネ２２は、その一端（図中下端。）は処理流路１３の一端（図中下端。）１３ａに固定され、他端（図中上端。）は、処理流路１３内の他端（図中上端。）１３ｂ側において、消毒殺菌剤１６に接して設けられた弁体２１に固定されて、伸びた状態となっている。
【００４６】
この水処理器１０Ｄにおいても、図３の例の場合と同様に、導入流路１２から処理流路１３に導入された被処理水は、消毒殺菌剤１６の周り（処理流路１３の内周壁と消毒殺菌剤１６との間の隙間。）を通過して消毒殺菌水とされた後、排出流路１４から取り出される。そして、消毒殺菌剤１６の残量（高さ）がゼロとなり消失した際には、図３の場合と同様に、２本のコイルバネ２２が縮んで弁体２１を処理流路１３の一端１３ａ側へ移動させ、導入流路１２の下流端１２ａと、排出流路１４の上流端１４ａとを閉塞する。
【００４７】
ここで図４の水処理器１０Ｄは、コイルバネ２２を複数本備えているため、より確実に流路を閉塞することができる。例えば、水処理器１０Ｄに導入される被処理水が、固体の汚染物質などを多く含んでいる場合には、これがスケールとしてコイルバネ２２や処理流路１３に付着したり堆積したりして、コイルバネ２２の縮みを妨げる可能性がある。また、バイオフィルムが形成され、コイルバネ２２が縮みにくくなる可能性もある。そのような場合に、コイルバネ２２を複数本備えていると、仮にそのうちの一部が縮みにくくなったとしても、残りのコイルバネ２２が縮んで、流路１１を確実に遮断するものと期待できる。
【００４８】
以上説明した図１〜図４の水処理器１０Ａ〜１０Ｄはいずれも、消毒殺菌剤１６が消失して、その残量（高さ）がゼロになった際に、流路１１を閉塞するものであったが、例えば図５に示す構成を採用することにより、消毒殺菌剤の残量（高さ）がゼロになる前の、所定値となった時点で、流路１１を閉塞することができる。
【００４９】
図５（ａ），（ｂ）の水処理器１０Ｅは、図５（ｂ）に示すように、弁体２１により流路１１が閉塞した状態において、弁体２１の接触面２１ａと処理流路１３の一端１３ａとにより、空間（スペースＳ）が形成される点で、図４の水処理器１０Ｄと異なっている。このようなスペースＳが形成されることにより、消毒殺菌剤１６が減少し、その高さとスペースＳの高さＨとが一致した時点（消毒殺菌剤の残量がゼロになる前の所定値となった時点）で、流路１１が閉塞される。よって、消毒殺菌剤１６が溶け切る前に流路１１を閉塞できる。
【００５０】
すなわち、図５の例では、処理流路１３の一端１３ａにおける消毒殺菌剤１６の周囲に、例えば円筒などの筒体からなって消毒殺菌剤１６を囲む突起状のストッパ１３ｄが立設されている。ストッパ１３ｄは、消毒殺菌剤１６の残量が所定値まで減少し弁体２１が流路を閉塞した状態において、スペースＳが形成されるように、弁体２１の移動を止める作用を奏する。また、この例では、弁体２１における接触面２１ａに窪み部２１ｂが形成されている。そのため、図５（ｂ）に示すように弁体２１が流路１１を閉塞した状態において、窪み部２１ｂとストッパ１３ｄの内側（筒体の内側）とでスペースＳが形成され、このスペースＳには、消毒殺菌剤１６の溶け残り（残部）が収容される。
スペースＳを形成するためには、ストッパ１３ｄ、窪み部２１ｂの少なくとも一方を設ければよい。また、スペースＳの高さＨは、窪み部２１ｂの深さやストッパ１３ｄの高さを調整することにより、任意に設定できる。これにより、完全に消毒殺菌剤１６が溶け切る前の任意の残量（高さ）となった時点で、流路１１を閉塞できるように構成できる。
【００５１】
このようにストッパ１３ｄが立設されていると、弁体２１が流路１１を閉塞した状態において、ストッパ１３ｄでスペースＳが形成され、このスペースＳには、消毒殺菌剤１６の溶け残り（残部）が収容される。このような構成により、完全に消毒殺菌剤が溶け切る前に、流路を完全に閉塞できる。また、ストッパ１３ｄの高さを調整することで、消毒殺菌剤が溶け切る前の任意の時点で流路を完全に閉塞するように構成でき、ストッパ１３ｄの高さ（筒体の高さ）は３〜５ｍｍであることが好ましい。ストッパ１３ｄの高さがこのような高さであれば、消毒殺菌剤の残量を可能な限り減らして無駄を省き、かつ、流路を完全に閉塞できる。
また、弁体２１における接触面２１ａに窪み部２１ｂが形成されていると、弁体２１が流路１１を閉塞した状態において、窪み部２１ｂでスペースＳが形成され、このスペースＳには、消毒殺菌剤１６の溶け残り（残部）が収容される。このような構成により、完全に消毒殺菌剤が溶け切る前に、流路を閉塞できる。また、窪み部２１ｂの深さを調整することで、消毒殺菌剤が溶け切る前の任意の時点で流路を完全に閉塞するように構成でき、窪み部２１ｂの深さは３〜５ｍｍであることが好ましい。窪み部２１ｂの深さがこのような範囲であれば、消毒殺菌剤の残量を可能な限り減らして無駄を省き、かつ、流路を完全に閉塞できる。
【００５２】
また、図５の形態の水処理器１０Ｅによれば、例えば顆粒状の消毒殺菌剤がメッシュの袋体に収納されたものを処理材として採用し、これを処理流路に配置した場合や、消毒殺菌剤と不溶性成分（例えばバインダ成分。）とを含む処理材を用いた場合など、消毒殺菌剤がすべて溶出しても不溶性の残存物（袋体、バインダ成分。）、すなわち残部が生じるケースにおいても、流路１１の閉塞時にこれら残存物がスペースＳに収納されるため、確実な流路の閉塞が可能となる。
【００５３】
本発明の水処理器は、実施形態を例示して説明したように、溶出により処理材の残量がゼロとなった際、あるいは、ゼロとなる前の所定値まで減少した際に、流路を閉塞する弁手段を備えたものである。上述の各例のうち、図１〜４の水処理器１０Ａ〜１０Ｄは、処理材である消毒殺菌剤１６の残量（高さ）がゼロとなった際に流路を閉塞する形態のものであり、図５の水処理器１０Ｅは、消毒殺菌剤１６を含む処理材の残量または残存物の高さが所定値となった際に流路を閉塞する形態のものである。所定値は、上述したように、スペースＳの高さを調整することにより、任意に設定できる。
また、図１、図３〜図５の例では、弁体２１が導入流路１２および排出流路１４の両方を閉塞し、図２の例では、導入流路１２を閉塞する形態を例示したが、水の取り出しが不能となるかぎり、流路１１のうち少なくとも１箇所が閉塞されていればよい。
【００５４】
［浄水器］
本発明の浄水器は、上述の水処理器と、この水処理器よりも下流側に設けられ、水処理器で得られた消毒殺菌水を濾過する濾材とを備え、浄水が得られるようにしたものである。このような浄水器によれば、水処理器において処理材の残量が所定値またはゼロまで減少し、流路が閉塞した時点で、浄水器からもそれ以降、浄水が得られなくなる。よって、用いる消毒殺菌剤の量を調整して、流路が閉塞するタイミングと、濾材の交換時期とを一致させることによって、処理能力の低下した濾材を使用し続けて、濾材による処理が不充分な水を飲用するなどの不都合を未然に回避できる。すなわち、このような浄水器においては、水処理器は、被処理水を消毒殺菌するだけでなく、浄水器の濾材の交換時期を示すインジケータとしても機能する。
【００５５】
濾材としては、中空糸膜などの膜および活性炭などの吸着材のうちの少なくとも一方を含むものを使用できる。濾材として、例えば、水処理器が具備する消毒殺菌剤を吸着する吸着材を少なくとも用いることにより、水処理器で得られた消毒殺菌水から消毒殺菌剤を吸着、除去でき、浄水器からは、消毒殺菌剤が除去された浄水を得ることが可能となる。
また、中空糸膜を用いることにより、消毒殺菌水中に残存している固形の汚染物質などを除去できる。
【００５６】
以上説明した水処理器および浄水器は、例えば、災害時などにおいて、河川水などを飲用に供する必要がある場合などに、好適に使用される。また、安全な飲用水の確保が難しい一部の国、地域での使用にも好適である。
【符号の説明】
【００５７】
１０Ａ〜１０Ｅ  水処理器
１１  流路
１６  消毒殺菌剤
２０  弁手段
【図１】
2013115304.tif 000003
【図２】
2013115304.tif 000004
【図３】
2013115304.tif 000005
【図４】
2013115304.tif 000006
【図５】
2013115304.tif 000007
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、
前記溶出により前記処理材の残量がゼロとなった際に、前記流路を閉塞する弁体を有する弁手段を備える、水処理器。
【請求項２】
前記弁体は、前記消毒殺菌剤の残量が減少するにしたがって移動し、前記流路を閉塞する、請求項１に記載の水処理器。
【請求項３】
流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、
前記溶出により前記処理材の残量がゼロとなる前の所定値まで減少すると、前記流路を閉塞する弁体を有する弁手段を備える、水処理器。
【請求項４】
前記弁体は、前記消毒殺菌剤の残量が減少するにしたがって移動し、前記流路を閉塞する、請求項３に記載の水処理器。
【請求項５】
前記処理材の残量が前記所定値まで減少し、前記流路と前記弁体との間に、前記弁体が前記流路を閉塞した際に該処理材の残部が収納されるスペースが形成される、請求項３または４に記載の水処理器。
【請求項６】
前記流路における前記処理材の周囲には、筒体からなり、前記処理材の残量が前記所定値まで減少した際に前記弁体の移動を止める突起状のストッパが立設され、
該ストッパの内側に前記スペースが形成される、請求項５に記載の水処理器。
【請求項７】
前記ストッパの高さが３〜５ｍｍである、請求項６に記載の水処理器。
【請求項８】
前記弁体における前記処理材との接触面に窪み部が形成され、該窪み部により、前記スペースが形成される、請求項５〜７のいずれか一項に記載の水処理器。
【請求項９】
前記窪み部の深さが３〜５ｍｍである、請求項８に記載の水処理器。
【請求項１０】
前記弁手段は、弁体が前記流路を塞ぐように前記弁体を付勢し、移動させる弾性体を少なくとも１つ有する、請求項１〜９のいずれか一項に記載の水処理器。
【請求項１１】
前記弁手段は、前記弾性体を複数有する、請求項１０に記載の水処理器。
【請求項１２】
請求項１〜１１のいずれか一項に記載の水処理器と、前記消毒殺菌水を濾過する濾材とを備える、浄水器。
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、
前記溶出により前記処理材の残量がゼロとなる前の所定値まで減少すると、前記流路を閉塞する弁体を有する弁手段を備え、
前記処理材の残量が前記所定値まで減少し、前記流路と前記弁体との間に、前記弁体が前記流路を閉塞した際に該処理材の残部が収納されるスペースが形成され、
前記流路における前記処理材の周囲には、筒体からなり、前記処理材の残量が前記所定値まで減少した際に前記弁体の移動を止める突起状のストッパが立設され、
該ストッパの内側に前記スペースが形成される、水処理器。
【請求項２】
前記ストッパの高さが３〜５ｍｍである、請求項１に記載の水処理器。
【請求項３】
前記弁体における前記処理材との接触面に窪み部が形成され、該窪み部により、前記スペースが形成される、請求項１または２に記載の水処理器。
【請求項４】
前記窪み部の深さが３〜５ｍｍである、請求項３に記載の水処理器。
【請求項５】
流路と、該流路内に配置され、水溶性固体からなる消毒殺菌剤を有する処理材とを備え、前記処理材の上流側から被処理水を供給して該被処理水に前記消毒殺菌剤を溶出させ、消毒殺菌水を得る水処理器であって、
前記溶出により前記処理材の残量がゼロとなる前の所定値まで減少すると、前記流路を閉塞する弁体を有する弁手段を備え、
前記処理材の残量が前記所定値まで減少し、前記流路と前記弁体との間に、前記弁体が前記流路を閉塞した際に該処理材の残部が収納されるスペースが形成され、
前記弁体における前記処理材との接触面に窪み部が形成され、該窪み部により、前記スペースが形成される、水処理器。
【請求項６】
前記窪み部の深さが３〜５ｍｍである、請求項５に記載の水処理器。
【請求項７】
前記弁体は、前記消毒殺菌剤の残量が減少するにしたがって移動し、前記流路を閉塞する、請求項１〜６のいずれか一項に記載の水処理器。
【請求項８】
前記弁手段は、弁体が前記流路を塞ぐように前記弁体を付勢し、移動させる弾性体を少なくとも１つ有する、請求項１〜７のいずれか一項に記載の水処理器。
【請求項９】
前記弁手段は、前記弾性体を複数有する、請求項８に記載の水処理器。
【請求項１０】
請求項１〜９のいずれか一項に記載の水処理器と、前記消毒殺菌水を濾過する濾材とを備える、浄水器。
【国際調査報告】
2013115304.tif 000008
2013115304.tif 000009
2013115304.tif 000010
2013115304.tif 000011